(57)【要約】【課題】臀部において、着用者に不快感を生じさせにくい防漏壁部を備えたパンツ型吸収性物品を提供する。【解決手段】吸収性コア（１１）と、一対の防漏壁部（４０）とを備え、上下方向の下端部にて前後に折り曲げられた吸収性本体（１）と、外装部材（２０）と、を有するパンツ型吸収性物品（１）であって、吸収性本体（１０）は、前側部（１０ＦＲ）と、後側部（１０ＢＲ）とを有し、前側部（１０ＦＲ）及び後側部（１０ＢＲ）は、上下方向におけるそれぞれの上端部、かつ、左右方向における吸収性コア（１１）よりも外側の領域で、一対の防漏壁部（４０）を起立不能に固定する端部固定部（８１，８２）を有し、前側部（１０ＦＲ）は、上端部で一対の防漏壁部（４０）と外装部材（２０）とを接合する前側接合部（７１）を有し、後側部（１０ＢＲ）は、上端部で前記一対の防漏壁部（４０）と外装部材（２０）とを接合する後側接合部（７２）と、上端部と下端部との間で一対の防漏壁部（４０）と外装部材（２０）とを接合する中間接合部（７３）と、を有している。【選択図】図５
2019118555.tif 000002
【特許請求の範囲】
【請求項１】
互いに交差する上下方向と左右方向と前後方向とを有し、
前記上下方向に沿って配置された吸収性コアと、前記吸収性コアの前記左右方向の両側から着用者の肌側に立ち上がる一対の防漏壁部とを備え、前記上下方向の下端部にて前後に折り曲げられた吸収性本体と、
前記吸収性本体の非肌側に接合された外装部材と、
を有するパンツ型吸収性物品であって、
前記吸収性本体は、前記前後方向の前側に折り曲げられた部分である前側部と、前記前後方向の後側に折り曲げられた部分である後側部とを有し、
前記前側部及び前記後側部は、前記上下方向におけるそれぞれの上端部、かつ、前記左右方向における前記吸収性コアよりも外側の領域で、前記一対の防漏壁部を起立不能に固定する端部固定部を有し、
前記前側部は、前記前側部の上端部で前記一対の防漏壁部と前記外装部材とを接合する前側接合部を有し、
前記後側部は、前記後側部の上端部で前記一対の防漏壁部と前記外装部材とを接合する後側接合部と、前記上下方向における前記上端部と前記下端部との間で前記一対の防漏壁部と前記外装部材とを接合する中間接合部と、を有している、
ことを特徴とするパンツ型吸収性物品。
【請求項２】
請求項１に記載のパンツ型吸収性物品であって、
前記前側部は、前記上下方向における前記前側接合部と前記下端部との間に、前記防漏壁部と前記外装部材とを接合する接合部を有しておらず、
前記後側部は、前記上下方向における前記中間接合部と前記下端部との間に、前記防漏壁部と前記外装部材とを接合する接合部を有していない、ことを特徴とするパンツ型吸収性物品。
【請求項３】
請求項１または２に記載のパンツ型吸収性物品であって、
前記後側部は、前記上下方向における前記中間接合部と前記後側接合部との間に、前記防漏壁部と前記外装部材とを接合する接合部を有していない、ことを特徴とするパンツ型吸収性物品。
【請求項４】
請求項１〜３のいずれか１項に記載のパンツ型吸収性物品であって、
前記吸収性本体と前記外装部材とを接合する内外装接合部を有し、
前記上下方向の下端において、前記吸収性コアよりも内側に、前記内外装接合部が形成されている、ことを特徴とするパンツ型吸収性物品。
【請求項５】
請求項１〜４のいずれか１項に記載のパンツ型吸収性物品であって、
前記上下方向において、前記吸収性コアの前記左右方向の幅が最も狭くなる位置は、前記中間接合部よりも前記前側接合部に近い、ことを特徴とするパンツ型吸収性物品。
【請求項６】
請求項１〜５のいずれか１項に記載のパンツ型吸収性物品であって、
前記上下方向において、前記前側接合部の長さは、前記中間接合部の長さよりも長い、ことを特徴とするパンツ型吸収性物品。
【請求項７】
請求項１〜６のいずれか１項に記載のパンツ型吸収性物品であって、
前記上下方向において、前記中間接合部の長さは、前記後側接合部の長さよりも長い、ことを特徴とするパンツ型吸収性物品。
【請求項８】
請求項１〜７のいずれか１項に記載のパンツ型吸収性物品であって、
前記後側部では、前記上下方向において、前記中間接合部の下端位置が、前記吸収性コアの前記左右方向における幅が狭くなっている領域よりも上側にある、ことを特徴とするパンツ型吸収性物品。
【請求項９】
請求項１〜８のいずれか１項に記載のパンツ型吸収性物品であって、
前記中間接合部の前記左右方向における幅は、
前記左右方向において、前記防漏壁部を伸長させたときの前記防漏壁部の一方側の端と、前記吸収性本体の一方側の端との間の距離の１／２以下である、ことを特徴とするパンツ型吸収性物品。
【請求項１０】
請求項１〜９のいずれか１項に記載のパンツ型吸収性物品であって、
前記左右方向において、前記防漏壁部の内側端部に前記中間接合部が設けられている、ことを特徴とするパンツ型吸収性物品。
【請求項１１】
請求項１〜１０のいずれか１項に記載のパンツ型吸収性物品であって、
前記吸収性本体の長手方向における、前記前側接合部と前記中間接合部の間であって、
厚さ方向における、前記端部固定部よりも肌側に、
前記長手方向に伸縮する防漏壁弾性部材が設けられている、ことを特徴とするパンツ型吸収性物品。
【請求項１２】
請求項１１に記載のパンツ型吸収性物品であって、
前記外装部材は、腹側ベルト部と、背側ベルト部と、前記腹側ベルト部及び前記背側ベルト部を繋ぐ股下部材と、を有し、
前記股下部材は、脚回り開口に沿って伸縮する股下弾性部材を有しており、
前記防漏壁部のうち前記防漏壁弾性部材が設けられている部分における単位面積当たりのバネ常数は、
前記股下部材のうち前記股下弾性部材が設けられている部分における単位面積当たりのバネ常数よりも大きい、ことを特徴とするパンツ型吸収性物品。
【請求項１３】
請求項１２に記載のパンツ型吸収性物品であって、
前記股下部材は、前記上下方向に沿って伸縮する股下伸縮領域を有しており、
前記股下部材のうち前記股下弾性部材が設けられている部分における単位面積当たりのバネ常数は、
前記股下伸縮領域の単位面積当たりのバネ常数よりも大きい、ことを特徴とするパンツ型吸収性物品。
【発明の詳細な説明】
【技術分野】
【０００１】
本発明は、パンツ型吸収性物品に関する。
【背景技術】
【０００２】
パンツ型吸収性物品は、尿等の排泄液を吸収する吸収性コアを備えた吸収性本体を有している。そして、該吸収性本体の幅方向の両側には、吸収性コアによって吸収された排泄物がおむつの外側に漏れることを防止する防漏壁部が着用者の脚回りに沿って設けられている。例えば、特許文献１には、吸収性コアの幅方向端部よりも外側において内倒しに固定され、吸収性物品の着用時には、着用者の肌側に起立する一対の防漏壁部を備えた吸収性物品が開示されている。
【先行技術文献】
【特許文献】
【０００３】
【特許文献１】特開２０１６−１２０１４２号公報
【発明の概要】
【発明が解決しようとする課題】
【０００４】
特許文献１のような防漏壁部を備えた吸収性物品では、一般に、吸収性本体の長手方向の両端部において該防漏壁部が外装部材に接合されている。そして、防漏壁部は、長手方向に伸縮性を発現する弾性部材の伸縮性に基づいて、長手方向の両端部の間の領域において肌側に起立しながら、着用者の股間部（鼠蹊部）にフィットする。しかしながら、着用者である人間の身体には凹凸があるため、凸の部分では、肌側に起立した防漏壁が食い込んだり、肌とこすれたりして、着用者に不快感を与えるおそれがある。特に、着用者の背側において、臀部の最も出っ張っている部位では、防漏壁が当たることによる不快感を生じさせやすい。
【０００５】
本発明は、上記のような問題に鑑みてなされたものであって、その目的とするところは、臀部において、着用者に不快感を生じさせにくい防漏壁部を備えたパンツ型吸収性物品を提供することにある。
【課題を解決するための手段】
【０００６】
上記目的を達成するための主たる発明は、互いに交差する上下方向と左右方向と前後方向とを有し、前記上下方向に沿って配置された吸収性コアと、前記吸収性コアの前記左右方向の両側から着用者の肌側に立ち上がる一対の防漏壁部とを備え、前記上下方向の下端部にて前後に折り曲げられた吸収性本体と、前記吸収性本体の非肌側に接合された外装部材と、を有するパンツ型吸収性物品であって、前記吸収性本体は、前記前後方向の前側に折り曲げられた部分である前側部と、前記前後方向の後側に折り曲げられた部分である後側部とを有し、前記前側部及び前記後側部は、前記上下方向におけるそれぞれの上端部、かつ、前記左右方向における前記吸収性コアよりも外側の領域で、前記一対の防漏壁部を起立不能に固定する端部固定部を有し、前記前側部は、前記前側部の上端部で前記一対の防漏壁部と前記外装部材とを接合する前側接合部を有し、前記後側部は、前記後側部の上端部で前記一対の防漏壁部と前記外装部材とを接合する後側接合部と、前記上下方向における前記上端部と前記下端部との間で前記一対の防漏壁部と前記外装部材とを接合する中間接合部と、を有している、ことを特徴とするパンツ型吸収性物品である。
本発明の他の特徴については、本明細書及び添付図面の記載により明らかにする。
【発明の効果】
【０００７】
本発明によれば、臀部において、着用者に不快感を生じさせにくい防漏壁部を備えたパンツ型吸収性物品を提供することができる。
【図面の簡単な説明】
【０００８】
【図１】パンツ型使い捨ておむつ１の斜視図である。
【図２】展開且つ伸長状態のおむつ１を非肌側から見た概略平面図である。
【図３】図２のＩ−Ｉ線での概略断面図である。
【図４】展開且つ伸長状態の吸収性本体１０を肌側から見た概略平面図である。
【図５】吸収性本体１０（防漏壁部４０）と外装部材２０との接合状態について表す平面図である。
【図６】図５のＡ−Ａ断面及びＦ−Ｆ断面について表す概略断面図である。
【図７】図５のＤ−Ｄ断面について表す概略断面図である。
【図８】図５のＣ−Ｃ断面について表す概略断面図である。
【図９】図５のＥ−Ｅ断面について表す概略断面図である。
【図１０】図１０Ａは、中間接合部７３を有していない、従来型の防漏壁部１４０を有するおむつ１００の着用状態について表した左右方向における概略断面図である。図１０Ｂは、本実施形態のおむつ１の着用状態について表した左右方向における概略断面図である。
【発明を実施するための形態】
【０００９】
本明細書及び添付図面の記載により、少なくとも以下の事項が明らかとなる。
互いに交差する上下方向と左右方向と前後方向とを有し、前記上下方向に沿って配置された吸収性コアと、前記吸収性コアの前記左右方向の両側から着用者の肌側に立ち上がる一対の防漏壁部とを備え、前記上下方向の下端部にて前後に折り曲げられた吸収性本体と、前記吸収性本体の非肌側に接合された外装部材と、を有するパンツ型吸収性物品であって、前記吸収性本体は、前記前後方向の前側に折り曲げられた部分である前側部と、前記前後方向の後側に折り曲げられた部分である後側部とを有し、前記前側部及び前記後側部は、前記上下方向におけるそれぞれの上端部、かつ、前記左右方向における前記吸収性コアよりも外側の領域で、前記一対の防漏壁部を起立不能に固定する端部固定部を有し、前記前側部は、前記前側部の上端部で前記一対の防漏壁部と前記外装部材とを接合する前側接合部を有し、前記後側部は、前記後側部の上端部で前記一対の防漏壁部と前記外装部材とを接合する後側接合部と、前記上下方向における前記上端部と前記下端部との間で前記一対の防漏壁部と前記外装部材とを接合する中間接合部と、を有している、ことを特徴とするパンツ型吸収性物品。
【００１０】
このようなパンツ型吸収性物品によれば、着用時において、着用者の臀部で最も出っ張りの大きい領域と当接する位置に中間接合部が設けられ、当該中間接合部では防漏壁の立ち上がり高さが制限されるため、防漏壁部が肌に食い込むこと等が生じにくくなる。これにより、着用者に不快感を生じさせ難くすることができる。
【００１１】
かかるパンツ型吸収性物品であって、前記前側部は、前記上下方向における前記前側接合部と前記下端部との間に、前記防漏壁部と前記外装部材とを接合する接合部を有しておらず、前記後側部は、前記上下方向における前記中間接合部と前記下端部との間に、前記防漏壁部と前記外装部材とを接合する接合部を有していない、ことが望ましい。
【００１２】
このようなパンツ型吸収性物品によれば、着用者の下腹部から股下部に位置する領域で防漏壁部が着用者の肌側に立ち上がるようになる。したがって、股下部において防漏壁部が着用者の鼠蹊部にフィットしやすくなり、該防漏壁部によって尿等の排泄物が外部に漏出するのを抑制することができる。
【００１３】
かかるパンツ型吸収性物品であって、前記後側部は、前記上下方向における前記中間接合部と前記後側接合部との間に、前記防漏壁部と前記外装部材とを接合する接合部を有していない、ことが望ましい。
【００１４】
このようなパンツ型吸収性物品によれば、着用者の臀部上方の領域で防漏壁部が着用者の肌側に立ち上がるようになる。したがって、防漏壁部が着用者の臀部の丸みに沿ってフィットしやすく、着用者がおむつを着用した状態で仰向けに寝ているような場合であっても、臀部側において排泄物が外部に漏出するのを抑制することができる。
【００１５】
かかるパンツ型吸収性物品であって、前記吸収性本体と前記外装部材とを接合する内外装接合部を有し、前記上下方向の下端において、前記吸収性コアよりも内側に、前記内外装接合部が形成されている、ことが望ましい。
【００１６】
このようなパンツ型吸収性物品によれば、吸収性コアの左右方向の両端を立ち上がり起点として防漏壁部が肌側に立ち上がるため、股下部において防漏壁部の立ち上がり高さを高く保つことができる。したがって、股下部における排泄漏れを抑制しやすくなる。
【００１７】
かかるパンツ型吸収性物品であって、前記上下方向において、前記吸収性コアの前記左右方向の幅が最も狭くなる位置は、前記中間接合部よりも前記前側接合部に近い、ことが望ましい。
【００１８】
このようなパンツ型吸収性物品によれば、吸収性コアの左右方向の幅が狭いほど、防漏壁部の立ち上がり高さが高くなることから、吸収性コアの左右方向における長さが最も狭くなっている部分を、着用者の排尿口に近い前側接合部付近に配置することにより、着用者の排尿口付近において防漏壁部の立ち上がり高さを高くすることができる。
【００１９】
かかるパンツ型吸収性物品であって、前記上下方向において、前記前側接合部の長さは、前記中間接合部の長さよりも長い、ことが望ましい。
【００２０】
このようなパンツ型吸収性物品によれば、前側接合部を上下方向に長く形成することにより、該前側接合部が着用者の腹部に沿って、フラットにフィットしやすくなる。一方、中間接合部を上下方向に短く形成することにより、臀部が出っ張る部分において防漏壁部の立ち上がりを制限しつつ、着用者に異物感を生じさせ難くすることができる。
【００２１】
かかるパンツ型吸収性物品であって、前記上下方向において、前記中間接合部の長さは、前記後側接合部の長さよりも長い、ことが望ましい。
【００２２】
このようなパンツ型吸収性物品によれば、着用者の臀部上方において起伏の大きい曲面状の領域に配置される後側接合部の長さを中間接合部よりも短くすることで、後側接合部と肌との接触面積が小さくなり、臀部の丸みに干渉することなくフィットしやすくなる。
【００２３】
かかるパンツ型吸収性物品であって、前記後側部では、前記上下方向において、前記中間接合部の下端位置が、前記吸収性コアの前記左右方向における幅が狭くなっている領域よりも上側にある、ことを特徴とするパンツ型吸収性物品ことが望ましい。
【００２４】
このようなパンツ型吸収性物品によれば、吸収性本体の後側部において、中間接合部の下端よりも下側が防漏壁部の立ち上がり可能範囲となる。その際、吸収性コアの幅が狭くなったくびれ部では、防漏壁部の立ち上がり高さを高くすることができるので、防漏壁部の立ち上がり可能範囲にくびれ部が含まれていることにより、防漏壁部の立ち上がり高さが高くなる領域を広くとることができる。したがって、着用者の股下部の広い範囲で防漏壁部が高く起立するようになる。
【００２５】
かかるパンツ型吸収性物品であって、記中間接合部の前記左右方向における幅は、前記左右方向において、前記防漏壁部を伸長させたときの前記防漏壁部の一方側の端と、前記吸収性本体の一方側の端との間の距離の１／２以下である、ことが望ましい。
【００２６】
このようなパンツ型吸収性物品によれば、中間接合部において、防漏壁の立ち上がり高さを最大時の１／２まで制限することが可能である。これにより、着用者の臀部への肌当たりがソフトになり、不快感を生じさせ難くなる。
【００２７】
かかるパンツ型吸収性物品であって、前記左右方向において、前記防漏壁部の内側端部に前記中間接合部が設けられている、ことが望ましい。
【００２８】
このようなパンツ型吸収性物品によれば、防漏壁部の立ち上がり起点が左右方向の内側寄りに位置することとなり、吸収性本体の左右方向の幅が広くなりすぎず、吸収性本体が脚回り開口から外側にはみ出してしまうこと等を抑制しやすくなる。
【００２９】
かかるパンツ型吸収性物品であって、前記吸収性本体の長手方向における、前記前側接合部と前記中間接合部の間であって、厚さ方向における、前記端部固定部よりも肌側に、前記長手方向に伸縮する防漏壁弾性部材が設けられている、ことが望ましい。
【００３０】
このようなパンツ型吸収性物品によれば、股下部において防漏壁が肌側に立ち上がりやすくなる。また、防漏壁部の端縁部における剛性が高くなり、防漏壁部が途中で折れ曲がったり、倒れたりすることを抑制できる。
【００３１】
かかるパンツ型吸収性物品であって、前記外装部材は、腹側ベルト部と、背側ベルト部と、前記腹側ベルト部及び前記背側ベルト部を繋ぐ股下部材と、を有し、前記股下部材は、脚回り開口に沿って伸縮する股下弾性部材を有しており、前記防漏壁部のうち前記防漏壁弾性部材が設けられている部分における単位面積当たりのバネ常数は、前記股下部材のうち前記股下弾性部材が設けられている部分における単位面積当たりのバネ常数よりも大きい、ことが望ましい。
【００３２】
このようなパンツ型吸収性物品によれば、防漏壁弾性部材による収縮力が、股下弾性部材による収縮力よりも大きくなり、着用者の鼠蹊部における防漏壁部の密着性が向上し、排泄漏れ等を生じにくくなる。
【００３３】
かかるパンツ型吸収性物品であって、前記股下部材は、前記上下方向に沿って伸縮する股下伸縮領域を有しており、前記股下部材のうち前記股下弾性部材が設けられている部分における単位面積当たりのバネ常数は、前記股下伸縮領域の単位面積当たりのバネ常数よりも大きい、ことが望ましい。
【００３４】
このようなパンツ型吸収性物品によれば、股下弾性部材による収縮力が、股下伸縮領域による収縮力よりも大きくなり、股下部材を着用者の股間に密着させつつ、脚回り開口において隙間を生じにくくすることができる。
【００３５】
＝＝＝実施形態＝＝＝
以下、本発明の「パンツ型吸収性物品」として、大人用のパンツ型使い捨ておむつ１（以下、「おむつ１」とも呼ぶ）を例に挙げて実施形態を説明する。但し、本発明のパンツ型吸収性物品は、例えば、子供用の使い捨ておむつや、生理用品（ショーツ型ナプキン）等としても利用可能である。
＜＜おむつ１の全体構成＞＞
図１は、おむつ１の概略斜視図である。図２は、展開且つ伸長状態のおむつ１を非肌側から見た概略平面図である。図３は、図２のＩ−Ｉ線での概略断面図である。なお、おむつ１の「伸長状態」とは、おむつ１を皺なく伸長させた状態であり、おむつ１を構成する各部材（例えば後述する外装部材２０等）の寸法がその部材単体の寸法と一致又はそれに近い長さになるまで伸長した状態である。
【００３６】
おむつ１は、互いに交差する上下方向、左右方向、及び、前後方向を有するとともに、図３に示すように、各部材が積層された厚さ方向を有する。上下方向において、着用者の胴回り側となる側を上側とし、着用者の股下側となる側を下側とする。前後方向において、着用者の腹側となる側を前側とし、着用者の背側となる側を後側とする。厚さ方向において、着用者の身体に接する側を肌側とし、その反対側を非肌側とする。また、図２の展開状態において、おむつ１は、互いに交差する長手方向及び幅方向を有している。長手方向は、上下方向に沿った方向であり、幅方向は、左右方向と同じ方向である。
【００３７】
おむつ１は、平面視長方形状である吸収性本体１０と、吸収性本体１０の非肌側に位置する外装部材２０とを有している。外装部材２０は、図１の前後方向における前側に位置する腹側外装部材２１（前側ベルト部２１）と、前後方向における後側に位置する背側外装部材２２（後側ベルト部２２）と、それらを繋ぐ股下外装部材２３（股下部材２３）とを有している。厚さ方向に隣接する上記部材は接着剤等で接合されている。
【００３８】
また、吸収性本体１０の長手方向の一端側に、前側ベルト部２１が位置し、吸収性本体１０の長手方向の他端側に、後側ベルト部２２が位置している。吸収性本体１０の長手方向において、前側ベルト部２１が位置する側を前側とし、後側ベルト部２２が位置する側を後側とする。つまり、前側ベルト部２１は吸収性本体１０の前側上端部に位置し、後側ベルト部２２は吸収性本体１０の後側上端部に位置している。また、股下部材２３は前側ベルト部２１及び後側ベルト部２２よりも肌側に位置している。
【００３９】
なお、本実施形態のおむつ１では外装部材２０が３部材から構成されているが、これに限らない。例えば、前側ベルト部２１、後側ベルト部２２、及び、股下部材２３が１部材であっても良い。また、股下部材２３を有さない構成や、外装部材２０よりも非肌側に外装部材２０とは異なる部材がさらに積層されている構成であっても良い。
【００４０】
図２に示す展開状態のおむつ１は、吸収性本体１０が長手方向の所定位置ＣＬで前後に２つ折りされ、前側ベルト部２１の左右方向の両側部と後側ベルト部２２の左右方向の両側部とが溶着等で接合されることにより、図１に示すパンツ型となる。つまり、吸収性本体１０の長手方向がおむつ１の上下方向に沿い、前側ベルト部２１と後側ベルト部２２とが環状に繋って、胴回り開口１ａ及び一対の脚回り開口１ｂが形成される。以下、前側ベルト部２１と後側ベルト部２２とが接合された領域を端部接合領域２４という。
【００４１】
また、本明細書中では、所定位置ＣＬにて折り曲げられた吸収性本体１０（吸収性コア１１）のうち、前側に折り曲げられた部分を「前側部１０Ｆ」、後側に折り曲げられた部分を「後側部１０Ｒ」とする。すなわち、図２の長手方向において、吸収性本体１０（吸収性コア１１）の所定位置ＣＬよりも前側の領域を「前側部１０Ｆ」と呼び、所定位置ＣＬよりも後側の領域を「後側部１０Ｒ」と呼ぶ場合がある。
【００４２】
吸収性本体１０は、図３に示すように、吸収性コア１１と、吸収性コア１１の肌側に位置するトップシート１２と、吸収性コア１１の非肌側に位置するバックシート１３とを有している。図４は、展開且つ伸長状態の吸収性本体１０を肌側から見た概略平面図である。
【００４３】
吸収性コア１１は、尿等の排泄液を吸収して保持する部材であり、例えば高吸収性ポリマー（ＳＡＰ）が混入したパルプ繊維等の液体吸収性繊維により形成される。本実施形態の吸収性コア１１は、長手方向の前側端と後側端との間に、左右方向における幅が狭くなったくびれ部１１ｃを有しており、図４に示されるような平面視略砂時計形状を有している。また、吸収性コア１１には周囲よりも坪量が低くなった領域である各種の低坪量領域が形成されている。低坪量領域の詳細については後で説明する。また、吸収性コア１１は、ティッシュペーパーや不織布等の液透過性のシートによって、外周面が覆われていても良い。
【００４４】
トップシート１２は、液透過性のシートであり、例えば親水性のエアスルー不織布やスパンボンド不織布等が用いられる。バックシート１３は、液不透過性シート１３ａ、及び、その非肌側に配された疎水性シート１３ｂの二層構造である。液不透過性シート１３ａとしては、例えば樹脂フィルム等が用いられ、疎水性シート１３ｂとしては、例えば柔軟性を有する疎水性の不織布等が用いられる。なお、バックシート１３は液不透過性シート１３ａの一層構造であっても良い。
【００４５】
バックシート１３の左右方向の両側にはサイドシート１４が設けられている。このサイドシート１４は、吸収性コア１１の左右方向の両端１１ｅｓ，１１ｅｓよりも左右方向の外側に延出し、吸収性本体１０の左右方向の両端１０ｅｓ，１０ｅｓを折り返し位置として左右方向の内側かつ厚さ方向の肌側に折り返されることによって、１対の防漏壁部４０形成している。防漏壁部４０には糸ゴム等の防漏壁弾性部材４１，４２が、吸収性本体１０の長手方向（上下方向）に沿って伸長された状態で固定されている。この防漏壁弾性部材４１，４２が長手方向に収縮することにより、吸収性本体１０の左右方向の両端部において一対の防漏壁部４０が肌側に立ち上がり、おむつ１の防漏壁（レッグサイドギャザー）として機能する。なお、サイドシート１４を設けず、バックシート１３（液透過性シート１３ｂ）を吸収性コア１１の左右方向の外側まで延出させることによって、防漏壁部４０が形成されるようにしても良い。防漏壁部４０の詳細な構造については、後で説明する。
【００４６】
前側ベルト部２１、及び、後側ベルト部２２は、それぞれ図２に示すように、上下方向において端部接合領域２４が位置する胴回り領域２１１，２２１と、胴回り領域２１１，２２１よりも下側の股下側領域２１２，２２２とを有している。胴回り領域２１１，２２１は平面視長方形状を成している。股下側領域２１２，２２２は略台形形状を成し、その外縁部は、上下方向の下側に向かって左右方向の内側に傾斜する傾斜部２１２ｓ，２２２ｓを有している。つまり、股下側領域２１２，２２２は下側に向かって横幅が狭くなっている。また、本実施形態では、前側ベルト部２１の股下側領域２１２に比べて、後側ベルト部２２の股下側領域２２２の方が大きく、着用者の臀部を広く被覆可能となっている。
【００４７】
前側ベルト部２１、及び、後側ベルト部２２は、それぞれ図３に示すように、肌側に位置する肌側シート２１３，２２３と、非肌側に位置する非肌側シート２１４，２２４と、それらの間に位置し、少なくともおむつ１の左右方向に伸縮性を備える伸縮性不織布２１５，２２５とを有している。
【００４８】
肌側シート２１３，２２３、及び、非肌側シート２１４，２２４は、柔軟なシートであることが好ましく、例えばスパンボンド不織布やＳＭＳ不織布等が用いられる。
【００４９】
伸縮性不織布２１５，２２５は、例えば、弾性を有する熱可塑性エラストマー性繊維であるポリウレタン系エラストマーと、非弾性を有する熱可塑性樹脂性繊維であるポリオレフィン系樹脂のポリプロピレン（ＰＰ）とを有しており、ギア延伸等の適宜な延伸処理が施された不織布である。この延伸処理により、伸縮性不織布２１５，２２５は、所定の方向に伸縮性を有しているものとする。なお、延伸処理は、互いに直交する方向に延伸処理を行うものであっても良いし、所定方向にのみ延伸処理を行うものであっても良い。所定方向にのみ延伸処理を行った場合、所定方向における伸縮性が発現されるが、すべての繊維の配向が所定方向に沿っているとは限らないため、所定方向と直交する方向にも伸縮性が発現される。
【００５０】
肌側シート２１３，２２３、非肌側シート２１４，２２４、及び、伸縮性不織布２１５，２２５は、点在する複数の溶着部２５ａ，２５ｂ（例えば超音波溶着が施された領域）により接合されているため、例えば固化する接着剤により接合される場合に比べて、肌触りが柔らかくなっている。また、溶着部２５ａ，２５ｂの間において、伸縮性不織布２１５，２２５が収縮することで、肌側シート２１３，２２３、及び、非肌側シート２１４，２２４が厚さ方向の外側に湾曲して突出する。つまり、肌側シート２１３，２２３、及び、非肌側シート２１４，２２４が溶着部２５ａ，２５ｂの間で膨らむため、肌触りがより柔らかくなり、視覚的にも柔らかい印象を使用者に付与できる。
【００５１】
このような構成により、前側ベルト部２１、及び、後側ベルト部２２は、全体としておむつ１の左右方向（及び上下方向）に伸縮性を有している。前側ベルト部２１において左右方向の伸縮性を発現している領域を前側伸縮領域２１ｓとし、後側ベルト部２２において左右方向の伸縮性を発現している領域を後側伸縮領域２２ｓとする（図２の斜線部参照）。また、溶着部２５ａ，２５ｂは、図２に示すように比較的に狭い間隔で点在している。そのため、本実施形態のおむつ１では、多方向に延び、且つ、きめ細やかな膨らみ（皺）が発生し、おむつ特有の一方向の皺（縦皺等）の発生を防止できるため、おむつ１の美観性が良い。
【００５２】
なお、伸縮性不織布２１５，２２５の代わりに伸縮性フィルムを用いても良い。但し、伸縮性フィルムの厚みはほぼ均一であるため、溶着部２５ａ，２５ｂの間の肌側シート２１３，２２３及び非肌側シート２１４，２２４の膨らみが潰れやすい。これに対して、伸縮性不織布２１５，２２５は溶着部２５ａ，２５ｂの間において厚みが増すため、肌側シート２１３，２２３及び非肌側シート２１４，２２４の膨らみが潰れ難く、肌触りの柔らかさや美観性を保つことができる。
【００５３】
また、溶着部２５ａ，２５ｂが点在する領域のうち、吸収性本体１０と厚さ方向に重なる第１点在領域Ｘと、それ以外の第２点在領域Ｙとで、溶着部２５ａ，２５ｂの形状や、単位面積当たりの溶着部２５ａ，２５ｂの割合を異ならせても良い。なお、図２において、第１点在領域Ｘでは、左右方向に対して４５度又は−４５度傾いた略長方形状の溶着部２５ａが交互に配置されている。一方、第２点在領域Ｙでは、円形状の溶着部２５ｂが千鳥状に配置されている。
【００５４】
また、第１点在領域Ｘに比べて第２点在領域Ｙの方が、単位面積当たりの溶着部２５ｂの面積が小さくなっている。そのため、汗やムレ等の問題を生じやすい胴回り領域２１１，２２１において、溶着部２５ｂにより通気性が阻害されてしまうことを抑制でき、適切な通気性を確保できる。一方、吸収性本体１０と重複する第１点在領域Ｘでは、前側ベルト部２１及び後側ベルト部２２の収縮が適度に抑えられ、吸収性本体１０の左右方向の収縮を軽減できる。
【００５５】
また、前側ベルト部２１、及び、後側ベルト部２２では、胴回り開口１ａに沿う領域に、糸ゴム等の胴回り弾性部材２６が複数配されている。同様に、脚回り開口１ｂに沿う領域に、糸ゴム等の脚回り弾性部材２７が複数配されている。つまり、おむつ１の胴回り及び脚回りは、胴回り弾性部材２６及び脚回り弾性部材２７によって、着用者の身体にしっかりと密着するため、おむつ１のずれ落ちや脚回りからの漏れを防止できる。一方、その他の部位は、伸縮性不織布２１５，２２５により面全体で緩やかに着用者の身体にフィットするため、締め付け感が軽減される。
【００５６】
股下部材２３は、長手方向の中央部分において左右方向の内側へ湾曲した平面視略砂時計形状を成している。また、図３に示すように、股下部材２３は、肌側に位置する肌側シート２３１と、非肌側に位置する非肌側シート２３２と、それらの間に位置し、おむつ１の上下方向（吸収性本体１０の長手方向）に伸縮性を付与する伸縮性不織布２３３とを有している。これらのシート２３１〜２３３は複数の溶着部（例えば第２点在領域Ｙと同様の溶着部２５ｂ）により接合されている。股下部材２３において、上下方向に沿った伸縮性が発現している領域を股下伸縮領域２３ｓとする（図２参照）。
【００５７】
この股下伸縮領域２３ｓが設けられることにより、吸収性コア１１は着用者の股下部に密着でき、また、排泄により吸収性コア１１の重量が増しても、おむつ１の垂れ下がりを抑制できる。また、股下部材２３のうち脚回り開口１ｂに沿う領域に、複数の股下弾性部材２８が配されており、股下部材２３が着用者の脚回りに密着するようになっている。
【００５８】
＜＜防漏壁部４０の詳細について＞＞
図５は、吸収性本体１０（防漏壁部４０）と外装部材２０との接合状態について表す平面図である。図６は、図５のＡ−Ａ断面及びＦ−Ｆ断面について表す概略断面図である。図７は、図５のＤ−Ｄ断面について表す概略断面図である。図８は、図５のＣ−Ｃ断面について表す概略断面図である。図９は、図５のＥ−Ｅ断面について表す概略断面図である。なお、図７〜図９では、防漏壁部４０が起立する前の状態の断面図を上側に示し、防漏壁部４０が起立した状態の断面図を下側に示している。
【００５９】
上述したように、吸収性本体１０の左右方向の両端部には、防漏壁部４０が設けられている。防漏壁部４０は、図６〜図９に示されるように、左右方向において、吸収性コア１１の両端１１ｅｓ，１１ｅｓよりも外側に延出したサイドシート１４が、吸収性本体１０の左右方向の両端１０ｅｓ，１０ｅｓにて左右方向の内側に折り返されることによって形成されている。そして、この防漏壁部４０は、所定の領域において外装部材２０の肌側面に接合されている。具体的には、前側部１０Ｆにおいて、吸収性本体１０の上端部にホットメルト接着剤等の接着剤によって形成された前側接合部７１によって、防漏壁部４０が前側ベルト部２１と接合されている（図６のＡ−Ａ断面参照）。
【００６０】
同様に、後側部１０Ｒにおいて、吸収性本体１０の上端部にホットメルト接着剤等の接着剤によって形成された後側接合部７２によって、防漏壁部４０が後側ベルト部２２と接合されている（図６のＦ−Ｆ断面参照）。
【００６１】
さらに、後側部１０Ｒにおいて、吸収性本体の上下方向の下端部（すなわち所定位置ＣＬ）と上下方向の上端部との間の領域に、ホットメルト接着剤等の接着剤によって形成された中間接合部７３によって、防漏壁部４０が後側ベルト部２２と接合されている（図７のＤ−Ｄ断面参照）。
【００６２】
また、図６に示されるように、前側部１０Ｆにおいて、吸収性本体１０の上下方向の上端部、かつ、吸収性コア１１よりも左右方向の外側の領域には、端１０ｅｓにて折り返されて厚さ方向に積層したサイドシート１４の対向する面同士を接合して固定する前側端部固定部８１が設けられている。同様に、後側部１０Ｒにおいて、吸収性本体１０の上下方向の上端部、かつ、吸収性コア１１よりも左右方向の外側の領域には、後側端部固定部８２が設けられている。
【００６３】
前後の端部固定部８１，８２が設けられている部位では、図６のようにサイドシート１４が折り畳まれた状態で固定されていることから、おむつ１の着用時においても防漏壁部４０が肌側に起立することはない。一方、端部固定部８１，８２が設けられていない領域（すなわち、吸収性本体１０の長手方向において、前側端部固定部８１と後側端部固定部８２との間の領域）では、おむつ１の着用時において、上下方向（吸収性本体１０の長手方向）に沿って配置された防漏壁弾性部材４１，４２の伸縮性によってサイドシート１４が上下方向（長手方向）に収縮し、図７〜図９のように防漏壁部４０が肌側に立ち上がる。
【００６４】
このとき、前側接合部７１，後側接合部７２，中間接合部７３によって防漏壁部４０が外装部材２０と接合されている領域では、防漏壁部４０が外装部材２０と接合されていない領域と比較して、防漏壁部４０の立ち上がり高さが異なる。例えば、図７に示される吸収性本体１０のＤ−Ｄ断面では、中間接合部７３によって防漏壁部４０と後側ベルト部２２とが接合されている。そのため、防漏壁部４０の立ち上がり起点は、中間接合部７３の左右方向の外側端７３ｅｓであり、防漏壁部４０が立ち上がった時の高さはｈＤとなる。一方、図９に示される吸収性本体１０のＥ−Ｅ断面では、防漏壁部４０と前側ベルト部２１とが接合されていないため、防漏壁部４０の立ち上がり起点は、吸収性コア１１の左右方向の両端１１ｅｓであり、防漏壁部４０が立ち上がった時の高さはｈＥとなる。したがって、図７における防漏壁部４０の立ち上がり高さｈＤは、前側接合部７１の左右方向における長さの分だけ、図９における防漏壁部４０の立ち上がり高さｈＥよりも低くなる（ｈＥ＞ｈＤ）。
【００６５】
本実施形態のおむつ１では、前側接合部７１及び後側接合部７２の間に、中間接合部７３を設けて、該中間接合部７３における防漏壁部４０の立ち上がり高さを制限することにより、着用者の臀部において防漏壁部４０が食い込む等により不快感を生じさせることを抑制できる。
【００６６】
図１０Ａは、中間接合部７３を有していない、従来型の防漏壁部１４０を有するおむつ１００の着用状態について表した左右方向における概略断面図である。図１０Ｂは、本実施形態のおむつ１の着用状態について表した左右方向における概略断面図である。
【００６７】
図１０Ａに示される従来型のおむつ１００では、吸収性本体１１０の長手方向の両端部に設けられた前側接合部１７１及び後側接合部１７２によって、防漏壁部１４０と外装部材１２０とが接合されている。この場合、前側接合部１７１と後側接合部１７２との長手方向の間の全ての範囲で防漏壁部１４０が立ち上がり、着用者の股下部にフィットする。一方、このような従来型のおむつでは、立ち上がった防漏壁部４０が着用者の身体に強く当たり、不快感を生じさせる場合がある。例えば、着用者の臀部のうち、最も大きく出っ張っている領域ＲＢは、肌側に立ち上がった防漏壁部１４０と干渉しやすく、当該領域ＲＢにおいて防漏壁部１４０が食い込んだり、肌(臀部)とこすれたりして、着用者に不快感を生じさせるおそれがある。
【００６８】
これに対して、本実施形態のおむつ１は、前側接合部７１と後側接合部７２との間に中間接合部７３が設けられている。そして、この中間接合部７３はおむつ１着用時において、着用者の臀部のうち領域ＲＢに位置するように調整されている。したがって、おむつ１では、中間接合部７３によって防漏壁部４０が肌側に立ち上がる高さが制限されることにより、領域ＲＢにおいて、防漏壁部４０の食い込み等が生じにくくなる。これにより、着用者に不快感を生じさせ難くすることができる。
【００６９】
また、吸収性本体１０の長手方向において、前側接合部７１と中間接合部７３との間には、防漏壁部４０と外装部材２０とを接合する接合部が設けられていない。言い換えると、前側部１０Ｆにおいて、前側接合部７１と下端部（ＣＬ）との上下方向の間には、防漏壁部４０と外装部材２０とを接合する接合部が設けられておらず、また、後側部１０Ｒにおいて、中間接合部７３と下端部（ＣＬ）との上下方向の間には、防漏壁部４０と外装部材２０とを接合する接合部が設けられていない。
【００７０】
したがって、前側接合部７１と中間接合部７３との間の領域では、図８のＣ−Ｃ断面図に示されるように、吸収性コア１１の左右方向の両端１１ｅｓを立ち上がりの起点として、一対の防漏壁部４０が着用者の肌側に立ち上がる。そして、図１０Ｂに示されるように、この前側接合部７１と中間接合部７３との間の領域は、おむつ１の着用時において、着用者の下腹部から股下部に位置する領域である。これにより、着用者の股下部において防漏壁部４０が鼠蹊部に沿ってフィットしやすく、該防漏壁部４０によって尿等の排泄物が外部に漏出するのを抑制することができる。
【００７１】
同様に、吸収性本体１０の長手方向において、中間接合部７３と後側接合部７２との間には、防漏壁部４０と外装部材２０とを接合する接合部が設けられていない。言い換えると、後側部１０Ｒにおいて、中間接合部７３と後側接合部７２との上下方向の間には、防漏壁部４０と外装部材２０とを接合する接合部が設けられていない。したがって、前側接合部７１と中間接合部７３との間の領域では、図９のＥ−Ｅ断面図に示されるように、吸収性コア１１の左右方向の両端１１ｅｓを立ち上がりの起点として、一対の防漏壁部４０が着用者の肌側に立ち上がる。そして、図１０Ｂに示されるように、この中間接合部７３と後側接合部７２との間の領域は、おむつ１の着用時において、着用者の臀部の上方に位置する領域である。したがって、防漏壁部４０が着用者の臀部の丸みに沿ってフィットしやすく、着用者がおむつ１を着用した状態で仰向けに寝ているような場合であっても、臀部側において排泄物が外部に漏出するのを抑制することができる。
【００７２】
また、図３で説明したように、吸収性本体１０は、前側ベルト部２１、後側ベルト部２２、及び、股下部材２３の３つの外装部材２０とそれぞれ厚さ方向に積層された状態で接合されている。具体的に、吸収性本体１０は、ホットメルト接着剤等の接着剤によって形成されたベルト部内外装接合部６１を介して、前側ベルト部２１及び後側ベルト部２２と接合されている。同様に、ホットメルト接着剤等の接着剤によって形成された股下部内外装接合部６２を介して、股下部材２３と接合されている。
【００７３】
このうち、股下部内外装接合部６２は、吸収性本体１０の長手方向の中央部、すなわち、パンツ型形状のおむつ１の上下方向における下端である所定位置ＣＬにおいて、吸収性コア１１よりも左右方向の内側に配置されている。したがって、図８に示されるように、左右方向において、吸収性コア１１の両端１１ｅｓは、股下部内外装接合部６２の両端６２ｅｓよりも外側に位置している。これにより、防漏壁部４０は、図８のように吸収性コア１１の両端１１ｅｓを立ち上がり起点として、立ち上がり高さがｈＣとなるように立ち上がる。股下部において防漏壁４０の立ち上がり高さが高く保たれるため、着用者が寝姿勢をとったり、座ったりした場合であっても、股下部において排泄物が外に漏れてしまうことを抑制しやすくなる。
【００７４】
また、吸収性コア１１の左右方向における幅が最も狭くなっている部分は、中間接合部７３よりも前側接合部７１の近くに位置している。吸収性コア１１の左右方向の幅が狭いくびれ部１１ｃが形成されている領域では、吸収性コア１１の左右方向の両端１１ｅｓを立ち上がり起点として防漏壁部４０が肌側に立ち上がるため、吸収性コア１１の左右方向の幅が狭い（左右方向における長さが短い）ほど、防漏壁部４０の立ち上がり高さ（図８におけるｈＣ）が高くなる。そこで、吸収性コア１１の左右方向における長さが最も狭くなっている部分を、着用者の排尿口に近い前側接合部７１付近に配置することにより、着用者の排尿口付近において防漏壁部４０の立ち上がり高さを最も高くすることが可能となり、尿漏れを抑制しやすくなる。
【００７５】
また、おむつ１では、上下方向(吸収性本体１０の長手方向)において、前側接合部７１の長さＬ７１は、中間接合部７３の長さＬ７３よりも長くなっている。前側接合部７１及び中間接合部７３は、折り重ねられたサイドシート１４同士が接着剤等によって接合されることにより、防漏壁部４０の他の領域と比較して剛性が高くなっている部位である。そして、図１０Ｂに示されるように、おむつ１の着用時において、前側接合部７１は着用者の腹部に位置し、中間接合部７３は着用者の臀部が最も出っ張った領域ＲＢに位置している。
【００７６】
一般に、臀部と比較して腹部には大きな凹凸や曲面が形成されておらず、腹部は比較的平面に近い形状を有しているため、該腹部領域において剛性の高い前側接合部７１を上下方向に長く形成することで、前側接合部７１が着用者の腹部に沿って、フラットにフィットしやすくなる。一方、中間接合部７３は、前側接合部７１と比較して上下方向に短く形成することにより、臀部の領域ＲＢにおいて防漏壁部４０の立ち上がりを制限しつつ、着用者に異物感を生じさせ難くすることができる。
【００７７】
また、おむつ１では、上下方向(吸収性本体１０の長手方向)における中間接合部７３の長さＬ７３が、後側接合部７２の長さＬ７２よりも長くなっている。図１０Ｂに示されるように、おむつ１の着用時において、後側接合部７２は、着用者の臀部上方において起伏の大きい曲面状の領域に位置する。したがって、剛性の高い後側接合部７２の上下方向の長さＬ７２をなるべく短くすることにより、後側接合部７２と着用者の肌との接触面積が小さくなり、臀部の丸みに干渉することなく後側接合部７２がフィットしやすくなる。一方、中間接合部７３は、上述のように臀部の領域ＲＢにおいて防漏壁部４０の立ち上がりを制限する必要があることから、後側接合部７２よりも長く形成されている。
【００７８】
また、吸収性コア１１は、中間接合部７３の下端位置よりも上下方向の下側において、左右方向における幅が狭くなっている。言い換えると、吸収性コア１１のくびれ部１１ｃの開始位置は、中間接合部７３の下端位置よりも下側となっている。上述のように、吸収性コア１１のくびれ部１１ｃでは、防漏壁部４０の立ち上がり高さを高くすることができる（図８参照）。一方、防漏壁部４０は、中間接合部７３と前側接合部７１との間の領域において立ち上がることから、この領域中に吸収性コア１１のくびれ部１１ｃが含まれていることにより、防漏壁部４０の立ち上がり高さが高くなる領域を広くとることができる。これにより、着用者の股下部の広い範囲で防漏壁部４０が高く起立するようになり、排泄物の横漏れを抑制しやすくなる。
【００７９】
また、中間接合部７３の左右方向における長さ（幅）は、防漏壁部４０を左右方向に伸長させたときの、防漏壁部４０の左右方向の端４０ａと吸収性コア１１の左右方向の端１１ｅｓとの間の距離の１／２以下である。仮に、中間接合部７３が設けられていなかった場合、防漏壁部４０は、吸収性コア１１の左右方向の端１１ｅｓを立ち上がり起点として起立するところ、防漏壁部４０中で、左右方向において所定の幅を有する領域が中間接合部７３によって外装部材２０と接合されていることにより、該防漏壁部４０の立ち上がり高さを制限することができる。その際、防漏壁部４０の立ち上がり高さを最大時の１／２まで制限することが可能である。なお、防漏壁部４０は吸収性本体１０の左右方向の端１０ｅｓにて折り曲げられるが、中間接合部７３の左右方向における長さが、防漏壁部４０の左右方向の端４０ａと吸収性コア１１の左右方向の端１１ｅｓとの間の距離の１／２よりも大きいと、防漏壁部４０の折り曲げ位置が端１０ｅｓよりも外側に形成されてしまい、吸収性本体１０が脚回り開口１ｂから外側にはみ出したり、防漏壁部４０がうまく立ち上がらなくなったりするおそれがある。そのため、本実施形態では、中間接合部７３の左右方向における長さを上述のように規定している。
【００８０】
また、左右方向において、中間接合部７３の少なくとも一部が、吸収性コア１１と重複している。すなわち、中間接合部７３は、防漏壁部４０の左右方向の内側端部に設けられている。これにより、防漏壁部４０の立ち上がり起点（中間接合部７３の左右方向の端７３ｅｓ）が左右方向の内側寄りに位置することとなり、吸収性本体１０の左右方向の幅が広くなりすぎず、吸収性本体１０が脚回り開口１ｂから外側にはみ出してしまうこと等を抑制しやすくなる。
【００８１】
また、防漏壁部４０の長手方向において、中間接合部７３と後側接合部７２との間には、長手方向に伸縮する防漏壁弾性部材４１が設けられている。この防漏壁弾性部材４１は、防漏壁部４０の端部固定部８１，８２よりも厚さ方向の肌側に配置され、防漏壁部４０の端４０ａ付近の領域（端縁部）において、長手方向の収縮力を発現させる。これにより、股下部において防漏壁部４０が肌側に立ち上がりやすくなる。また、防漏壁弾性部材４１が設けられていることにより、防漏壁部４０ａの端縁部における剛性が高くなり、防漏壁部４０が途中で折れ曲がったり、倒れたりすることを抑制できる。
【００８２】
また、おむつ１を着用する際には、防漏壁弾性部材４１によって防漏壁部４０に作用する収縮力が、股下弾性部材２８よって股下部材２３に作用する収縮力よりも大きいことが望ましい。すなわち、防漏壁部４０のうち防漏壁弾性部材４１が設けられている部分における単位面積当たりのバネ常数が、股下部材２３のうち股下弾性部材２８が設けられている部分における単位面積当たりのバネ常数よりも大きいことが望ましい。おむつ１において、防漏壁弾性部材４１による収縮力は、防漏壁部４０を着用者の鼠蹊部等に密着させるのに寄与し、股下弾性部材２８による収縮力は、着用者の脚回りに股下部材２３の外縁部を密着させるのに寄与している。仮に、防漏壁弾性部材４１による収縮力が股下弾性部材２８による収縮力よりも小さいと、防漏壁部４０の密着性が損なわれ、防漏壁部４０と着用者の肌との間に隙間を生じ、排泄物等が漏出する原因となるおそれがある。そこで、本実施形態では、防漏壁弾性部材４１による収縮力が、股下弾性部材２８による収縮力よりも大きくなるようにしている。これにより、着用者の鼠蹊部における防漏壁部４０の密着性が向上し、排泄漏れ等を生じにくくなる。
【００８３】
また、股下弾性部材２８よって股下部材２３に作用する収縮力が、股下伸縮領域２３ｓによって股下部材２３に作用する収縮力よりも大きいことが望ましい。すなわち、股下部材２３のうち股下弾性部材２８が設けられている部分における単位面積当たりのバネ常数が、股下部材２３のうち伸縮性不織布２３３が設けられている部分における単位面積当たりのバネ常数よりも大きいことが望ましい。上述したように、股下弾性部材２８による収縮力は、着用者の脚回りに股下部材２３の外縁部を密着させるのに寄与する。一方、股下伸縮領域２３ｓは、着用者の股間に股下部材２３を密着させるのに寄与している。したがって、股下弾性部材２８による収縮力が弱いと、股下部材２３と着用者の脚繰り（脚回り開口１ｂ）との間に隙間を生じやすくなるおそれがある。そこで、本実施形態では、股下弾性部材２８による収縮力が、股下伸縮領域２３ｓによる収縮力よりも大きくなるようにすることで、股下部材２３を着用者の股間に密着させつつ、脚回り開口１ｂにおいて隙間を生じにくくすることができる。
【００８４】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【００８５】
１  パンツ型使い捨ておむつ（おむつ、パンツ型吸収性物品）、
１ａ  胴回り開口、１ｂ  脚回り開口、
１０  吸収性本体、１０Ｆ  前側部、１０Ｒ  後側部、１０ｅｓ  端、
１１  吸収性コア、１１ｃ  くびれ部、１１ｅｓ  端、
１２  トップシート、１３  バックシート、１４  サイドシート、
２０  外装部材、
２１  前側ベルト部（腹側外装部材）、２１ｓ  前側伸縮領域、
２１１  胴回り領域、２１２  股下側領域、２１３  肌側シート、２１４  非肌側シート、２１５  伸縮性不織布、
２２  後側ベルト部（背側外装部材）、２２ｓ  後側伸縮領域、
２２１  胴回り領域、２２２  股下側領域、２２３  肌側シート、２２４  非肌側シート、２２５  伸縮性不織布、
２３  股下部材（股下外装部材）、２３ｓ  股下伸縮領域、
２３１  肌側シート、２３２  非肌側シート、２３３  伸縮性不織布、
２４  端部接合領域、
２５ａ，２５ｂ  溶着部、
２６  胴回り弾性部材、２７  脚回り弾性部材、２８  股下弾性部材、
４０  防漏壁部、４０ａ  端、
４１  防漏壁弾性部材、４２  防漏壁弾性部材、
６１  ベルト部内外装接合部、６２  股下部内外装接合部、６２ｅｓ  端、
７１  前側接合部、７１ｅｓ  端、７２  後側接合部、７３  中間接合部、
８１  前側端部固定部、８２  後側端部固定部、
ＣＬ  所定位置
【図１】
2019118555.tif 000003
【図２】
2019118555.tif 000004
【図３】
2019118555.tif 000005
【図４】
2019118555.tif 000006
【図５】
2019118555.tif 000007
【図６】
2019118555.tif 000008
【図７】
2019118555.tif 000009
【図８】
2019118555.tif 000010
【図９】
2019118555.tif 000011
【図１０】
2019118555.tif 000012